(57)【要約】【課題】ＣＤ、ＤＶＤなどの記録媒体を収容した薄型のレンタル用ケースを、その上端部を突出した状態で収容し、販売用ケースに取付けているタイトル紙の両端縁を切断することなくそのまま用いることが出来る陳列用カバーケースの提供。【解決手段】  陳列用カバーケース５の側面７を滑らかな凸状とし、販売用ケース１の厚さ寸法と凸状の丸み周長を同一寸法としている。【選択図】    図３
2012201404.tif 000002
【特許請求の範囲】
【請求項１】
ＣＤ、ＤＶＤなどの記録媒体を収容した薄型のレンタル用ケースを、その上端部を突出した状態で収容して陳列する陳列用カバーケースにおいて、販売用ケースに取付けているタイトル紙の両端縁を切断することなくそのまま用いる為に、側面を滑らかな凸状とし、販売用ケースの厚さ寸法と凸状の丸み周長を同一寸法としたことを特徴とする陳列用カバーケース。
【請求項２】
上記凸状の丸み周長を１５ｍｍとした請求項１記載の陳列用カバーケース。
【発明の詳細な説明】
【技術分野】
【０００１】
本発明はＤＶＤ等のレンタル店において、ＣＤ，ＤＶＤなどの記録媒体が収容されるレンタル用ケースを、その上端部を突出して陳列棚に陳列することが出来る陳列用カバーケースに関するものである。
【背景技術】
【０００２】
図８はビデオ等のレンタルショップにおいて、陳列棚に陳列されるレンタル用ケース（イ）の形態を示している。レンタル用ケース（イ）は一回り大きな陳列用カバーケース（ロ）に収容されると共に、上部開口から上端部が突出した状態で入れられ、多数のレンタル用ケース（イ）、（イ）・・・が陳列棚に整然と陳列される。該陳列用カバーケースにはタイトル紙が巻き付けられて、レンタル用ケース内に収容されているＣＤやＤＶＤなどの内容がレンタルショップに訪れる客に分かるように成っている。
【０００３】
そこで、レンタルショップに訪れる客は陳列用カバーケース（ロ）に収容されているレンタル用ケース（イ）を抜き取って借りることが出来る。該レンタル用ケース（イ）の内部にはＣＤやＤＶＤ等の記録媒体が収容されているが、所定の手続を経ないでレンタルショップから持ち出すことが出来ないように、すなわち盗難を防止する為に、開かないようにロックされていると共に、タグシールが貼着されていて警報装置が作動する。
【０００４】
図９はレンタル用ケース（イ）を示しているが、レンタル用ケース（イ）は本体（ハ）と蓋体（ニ）を有し、蓋体（ニ）は継手（ホ）、（ホ）を介して開閉することが出来る。同図の蓋体（ニ）は開いた状態であり、そして、本体（ハ）の中央部に設けているヘソ（ヘ）にはＤＶＤ（ト）が嵌って取付けられている。そして、レンタル用ケース（イ）にはロックプレート（チ）が備わり、上記蓋体（ニ）を閉じてロックプレート（チ）を本体（ハ）の側片を切欠いて形成した開口（リ）から挿入するならばロックされる。
【０００５】
しかも、該ロックプレート（チ）は取付けたツメがレンタル用ケース（イ）に設けた係止片に係止することで、勝手に抜取ることが出来ない構造と成っている。該ロックプレート（チ）にはタグシール（図示なし）が貼着されており、そのまま、レンタル店から持ち出すことも出来ない。すなわち、レンタル店の出入口に設置してある防犯ゲートが作動して警報音が鳴る。
【０００６】
特開２００２−１５０４４４号に係る「盗難防止機能を備えたＤＶＤ等の貸出しケース」は、レンタルショップの棚に陳列したＤＶＤ等が盗難に遭わないように盗難防止機能を備えた貸出しケースであって、顧客がカウンターに持ち運んだ貸出しケースのロックを素早く解錠出来ると共に、複数枚のケースを重ねて同時に解錠可能なＤＶＤ等の貸出しケースである。そこで、このケースは本体ケースと蓋から成り、ケースの側面開口からロック板をロック板嵌入空間にスライドして嵌入することで蓋が開かない構造とし、その為にロック板の両挟持片を蓋と本体ケースに形成したガイド溝に嵌め、又ロック板の側縁にはケースから突出するツメを設け、基部を中心として撓み変形する板バネには本体ケースの係止部に係止するロックツメを設けた構造としている。
【０００７】
ところで、レンタル店の棚は限られており、古いＤＶＤやＣＤの一部は処分してはいるが、新に出てくる新作を棚に陳列することが困難な状態と成っている。そこで、その対策としてレンタル用ケース（イ）の厚さ並びにレンタル用ケース（イ）が収容される陳列用カバーケース（ロ）の厚さを小さくする必要がある。
【０００８】
陳列用カバーケースにはタイトル紙を巻き付けて、貸し出されるレンタル用ケースに収容されているＤＶＤやＣＤ等の内容を表示している。上記タイトル紙はＤＶＤやＣＤ等を購入する際に、販売用ケースの表面に取付けてあるものが使用される。しかし、販売用ケースに対して陳列用カバーケースの厚さが薄くなるとタイトル紙の寸法が合わなくなり、その結果、ダブ付いてしまう。
【特許文献１】特開２００２−１５０４４４号に係る「盗難防止機能を備えたＤＶＤ等の貸出しケース」
【発明の開示】
【発明が解決しようとする課題】
【０００９】
このように、従来の陳列用カバーケースには上記のごとき問題がある。本発明が解決しようとする課題はこの問題点であり、従来の陳列用カバーケースに比較してその厚さを小さくすることで同じ陳列棚により多数のレンタル用ケースを陳列用カバーケースに収容して陳列することが出来るようにし、そして販売用ケースのタイトル紙をそのまま取付けてもダブ付かないように巻き付けた陳列用カバーケースを提供する。
【課題を解決するための手段】
【００１０】
本発明に係る陳列用カバーケースはその上端が開口し、該開口からレンタル用ケースが入り、レンタル用ケースの上端部は開口から上方へ突出する。レンタルショップを訪れた客は陳列用カバーケースに収容されて陳列されているレンタル用ケースを抜き取って借りることが出来る。このレンタル方式は出願人が以前に取得した特許であり、今日のレンタル業界では周知の技術である。
【００１１】
そして、陳列用カバーケースにはタイトル紙が巻き付いて取付けられるが、該タイトル紙はケース表面に張着した透明シートに挟まれる。タイトル紙はレンタル用ケースに収容されているＤＶＤやＣＤ等の記録媒体の記録内容を表示するものであり、このタイトル紙は販売用のケースに取付けてあるものをそのまま利用している。
【００１２】
ここで、本発明では陳列棚に配列する本数を増す為にレンタル用ケースの厚さを薄くし、同時に陳列用カバーケースの厚さも薄く成っている。その為に、厚さの大きな販売用ケースに取付けてあるタイトル紙をそのまま陳列用カバーケースに取付ける場合、長さ寸法に余りが生じ、時には先端を切断しなくては成らなくなる。そこで、本発明ではタイトル紙がそのままの状態で陳列用カバーケースに取付け出来るように側面に丸みを形成し、丸みの周長を販売用ケースの厚さ寸法と一致させている。
【発明の効果】
【００１３】
本発明の陳列用カバーケースは側面に凸状の丸みを形成していることで、該側面の周長は拡大され、販売用ケースの厚さ寸法と一致している。その為に、販売用ケースに取付けてあるタイトル紙はそのまま陳列用カバーケースに取付けることが出来る。すなわち、長さ寸法に余りを生じることなく陳列用カバーケースの透明シートに挟み込んで取付け出来る。そして、ある一定期間後にはレンタルされたＤＶＤやＣＤ等は中古ＤＶＤ、中古ＣＤ等として販売されるが、元の販売用ケースにタイトル紙も再び取付けることが出来る。
【図面の簡単な説明】
【００１４】
【図１】販売用ケースを示す外観図。
【図２】タイトル紙の具体例。
【図３】陳列用カバーケースの具体例。
【図４】陳列用カバーケースの側部拡大図。
【図５】レンタル用ケースの具体例で、蓋体を開いた状態。
【図６】ロックプレートの具体例。
【図７】レンタル用ケースにロックプレートを挿着した場合。
【図８】陳列用カバーケースに上端部を突出して収容されているレンタル用ケース。
【図９】従来のレンタル用ケースの蓋体が開いている場合。
【発明を実施するための形態】
【００１５】
図１はＤＶＤが収容されている販売用ケース１の外観を示している。この販売用ケース１は縦が１９０ｍｍ、横が１３５ｍｍ、厚さが１５ｍｍを有し、本体と蓋体から成り、蓋体は本体の側縁に設けている継手を介して開閉することが出来る。本体底の中央にはヘソが突出して設けられ、このヘソにＤＶＤの中央穴が嵌って取付けられる。
【００１６】
ところで、販売用ケース表面２には収容されているＤＶＤの内容を表示するタイトル紙３が取り付けられており、このタイトル紙３は図２に示すように長さは２７２．５ｍｍと成っており、中央には販売用ケースの厚さに相当する１５ｍｍの側面部４が設けられている。図３は陳列用カバーケース５の平面図と正面図を表している。この陳列用カバーケース５はその上端が開口し、この開口６からレンタル用ケースが挿入され、該レンタル用ケースの上端部は開口６から突出した状態でレンタルショップの陳列棚に陳列される。
【００１７】
本発明では同じ陳列棚に多数本のレンタル用ケースを陳列用カバーケース５に挿入して陳列することが出来るように、上記レンタル用ケースの厚さ寸法を小さくし、同時に陳列用カバーケース５の厚さ寸法も小さく成っている。ところで、本発明の陳列用カバーケース５の厚さ寸法ｔ＝１１ｍｍであり、その為に上記図２に示すタイトル紙３をそのまま取付ける場合、全長が余ってしまう。そこで、本発明では側面７に凸状の滑らかな丸みを形成し、丸みの周長を１５ｍｍとしている。
【００１８】
図４は陳列用カバーケース５の側面７を表している拡大図であり、側面７に丸みを形成したことでその周長Ｌが１５ｍｍと成って、その全長は２７２．５ｍｍのタイトル紙３を余すことなく陳列用カバーケース５に取付けることが出来る。
すなわち、図１の販売用ケース１に取付けられているタイトル紙３を厚さの薄い陳列用カバーケース５にそのまま取付けることが可能と成る。
【００１９】
図５は厚さを薄くしたレンタル用ケース１１の具体例で、蓋体を開いている状態を示している。同図の８は本体、９は蓋体を示し、該蓋体９は継手を介して開閉可能に取付けられている。そして、本体８の底中央部にはヘソ１０が突出して設けられ、該ヘソ１０はＤＶＤ等の穴に嵌って取付けられる。ところで、レンタル用ケース１１には従来ケースと同じく、本体８のヘソ１０にＤＶＤ等を取付けて蓋体９を閉じ、該蓋体９が開かないようにロックした状態で図３に示す陳列用カバーケース５に挿入される。そして、陳列用カバーケース５はレンタル店の陳列棚に配列される。
【００２０】
本発明のレンタル用ケース１１には蓋体９を閉じてロックプレートが挿入されるが、該ロックプレートと噛み合って蓋体９が開かないように所々に嵌合部を形成している。本体８には嵌合部１２ａ，１２ｂ、嵌合部１３、嵌合部１４ａ，１４ｂを設け、蓋体９には嵌合部１５ａ，１５ｂ、嵌合部１６、嵌合部１７ａ，１７ｂを設けている。また、蓋体９には収容部１８を有し、本体側には蓋体９が閉じた際に収容部１８が嵌る切欠き部１９を形成している。
【００２１】
ところで、蓋体９を閉じてロックプレートを挿入するならば、該ロックプレートのアームを介して上記嵌合部１２ａ，１２ｂ，１５ａ，１５ｂ、嵌合部１３，１６、及び嵌合部１４ａ，１４ｂ，１７ａ，１７ｂが互いに連結し合い、蓋体９は開かないようにロックされる。
【００２２】
図６は本発明のロックプレート１０を示す実施例である。該ロックプレート２０は同図に示すように概略Ｌ型を成し、基部２１とアーム２２を有し、また基部２１から短い嵌合片２３をアーム２２と平行を成して延びている。そして、基部２１のアーム側には小さい突片２４を突出している。該アーム２２の内部には係止片（図示なし）が揺動可能に取付けられ、この係止片の先端に形成したツメ２５ａ，２５ｂが内側縁に突出し、係止片にはバネ力が付勢されてツメ２５ａ，２５ｂは内側縁２６から常時突出することが出来る。
【００２３】
アーム２２の外側縁２７はその厚さを薄くして嵌合縁２８を沿設している。また、基部２１の周辺にはリブを起立し、該リブの内側は浅い凹部２９を形成し、この凹部内にタグシール（図示なし）が貼着される。凹部２９を形成してタグシールを貼着することでロックプレート２０の出入れに際して該タグシールが剥れることはない。そして、ロックプレート２０を挿着する際には基部２１は蓋体９に形成した収容部１８に嵌る為に、基部２１の凹部２９に貼着されるタグシールがキズ付けられて機能を失うことはない。
【００２４】
図７は蓋体９を閉じてロックプレート２０を挿着した場合を示している。該ロックプレート２０が挿着されることで蓋体９は開かないようにロックされるが、基部２１は蓋体９に形成した収容部１８に嵌り、アーム２２は本体８に設けたガイド溝３０に嵌る。このように、蓋体９を閉じてロックプレート２０が挿着され、アーム２２がガイド溝３０に嵌るならば、本体８及び蓋体９に設けている各嵌合部１２ａ，１２ｂ，１５ａ，１５ｂ、嵌合部１４ａ，１４ｂ，１７ａ，１７ｂはアーム２２を介して連結し合うことになる。
【００２５】
また、ロックプレート２０の嵌合片２３が本体８の嵌合部１３、及び蓋体９の嵌合部１６に嵌ることで、両嵌合部１３，１６は嵌合片２３を介して連結し合うことが出来る。従って、蓋体９は開くことなくロックされる。
ところで、ガイド溝３０に挿着されたロックプレート２０を引き抜く場合には、２個のツメ２５ａ，２５ｂを内側縁２６の内側へ後退させる必要があり、磁石を近づけて解錠され、基部２１に設けた突片２４を係止して引き抜くことが出来る。この解錠手段は従来のレンタル用ケースに取付けたロックプレートと共通している為にその説明は省略する。
【００２６】
ところで、レンタル用ケース１１の厚さが薄く、ロックプレート２０は概略Ｌ形をしている。すなわち、Ｌ形をしたロックプレート２０は、そのアーム２２がレンタル用ケース１１に収容されるＤＶＤ等と重なることなくガイド溝３０に嵌ることが出来、また、ロックプレート２０の基部２１はＤＶＤ等と重ならない位置に設けた収容部１８に嵌合している。
【００２７】
ロックプレート２０が挿着することで蓋体９はロックされるが、この位置は継手から最も離れた部位であり、継手とロックプレート２０の間、すなわちＤＶＤ等が収容されている領域は特に剛性が低くてケースをこじ開け易く成っている。そして、こじ開けることで本体８と蓋体９との間に隙間が形成されるならば、この隙間からＤＶＤ等を抜取ることが可能と成る。
【００２８】
そこで、レンタル用ケース１１では、本体８と蓋体９に係合片と係合溝を形成している。図５において、本体８には細長い円弧状の係合片３１ａ，３１ｂが突出し、この係合片３１ａ，３１ｂと対を成して外側に細長い円弧状の係合溝３２ａ，３２ｂを設けている。また、蓋体９には細長い円弧状の係合片３３ａ，３３ｂが突出し、この係合片３３ａ，３３ｂと対を成して内側には細長い円弧状の係合溝３４ａ，３４ｂを設けている。
【００２９】
ところで、蓋体９を閉じるならば、本体８の係合片３１ａは蓋体９の係合溝３４ａに係合し、本体８の係合片３１ｂは蓋体９の係合溝３４ｂに係合する。そして、本体８の係合溝３２ａには蓋体９の係合片３３ａが係合し、本体８の係合溝３２ｂには蓋体９の係合片３３ｂが係合することに成る。従って、閉じてロックされた蓋体９を側辺３５の側からこじ開けるならば僅かに開口するが、収容されているＤＶＤ等を取出すことは出来ない。
【００３０】
上記本体８の係合片３１ａ、３１ｂは蓋体９の係合溝３４ａ，３４ｂに係合し、また本体８の係合溝３２ａ，３２ｂには蓋体９の係合片３３ａ，３３ｂが係合することでＤＶＤ等を取出すことを阻止する。上記係合片が係合溝から完全に外れると共に、本体側の係合片先端と蓋体側の係合片先端との間をＤＶＤ等が通過する隙間が形成されない限り、抜取ることは不可能となる。また、本体８の係合片３１ａと係合片３１ｂ間距離、並びに蓋体９の係合片３３ａと係合片３３ｂ間距離はＤＶＤ等の直径より小さい為に、両係合片間を通過して抜取ることは出来なくなる。
【００３１】
ただし、図５に示すレンタル用ケース１１はあくまでも薄型レンタル用ケースの１具体例に過ぎない。薄型のレンタル用ケースを入れる陳列用カバーケースを薄くしても、厚い販売用ケースに取付けられているタイトル紙をそのまま使用することが出来るようにしたものである。
【符号の説明】
【００３２】
１  販売ケース
２  表面
３  タイトル紙
４  側面部
５  陳列用カバーケース
６  開口
７  側面
８  本体
９  蓋体
10  ヘソ
11  レンタル用ケース
12  嵌合部
13  嵌合部
14  嵌合部
15  嵌合部
16  嵌合部
17  嵌合部
18  収容部
19  切欠き部
20  ロックプレート
21  基部
22  アーム
23  嵌合片
24  突片
25  ツメ
26  内側縁
27  外側縁
28  嵌合縁
29  凹部
30  ガイド溝
31  係合片
32  係合溝
33  係合片
34  係合溝
35  側辺
【図１】
2012201404.tif 000003
【図２】
2012201404.tif 000004
【図３】
2012201404.tif 000005
【図４】
2012201404.tif 000006
【図５】
2012201404.tif 000007
【図６】
2012201404.tif 000008
【図７】
2012201404.tif 000009
【図８】
2012201404.tif 000010
【図９】
2012201404.tif 000011